(57)【要約】【課題】  安価で、火災感知の対象となる面積が広い場合であっても実用的な火災感知システムを提供する。【解決手段】  火災感知対象物１の周囲または火災感知対象場所に張設した電線２と、電線２に電圧を印加する電源３と、電線２を流れる電流を計測する電流計測手段４とを備えた火災感知システムであって、電線２に電源３によって電圧を印加した状態で電流計測手段４が無電流を計測することにより、発生した火災による熱によって電線２が断線したことを検知し、火災感知対象物１または火災感知対象場所に火災が発生したことを感知する。電線２には、絶縁ビニル電線等を用いることができ、長距離ベルトコンベア１を敷設した建家の構内火災を感知するにあたっては、ベルトコンベア１のコンベアベルト１ａの上方に電線を張設することが好ましい。【選択図】  図１
2005078391.tif 000002
【特許請求の範囲】
【請求項１】
火災感知対象物の周囲または火災感知対象場所に張設された電線と、
該電線に電圧を印加する電源と、
前記電線を流れる電流を計測する電流計測手段とを備え、
前記電線に前記電源によって電圧を印加した状態で前記電流計測手段が無電流を計測することにより、前記火災感知対象物または火災感知対象場所に火災が発生したことを感知することを特徴とする火災感知システム。
【請求項２】
前記電線は、絶縁ビニル電線であることを特徴とする請求項１に記載の火災感知システム。
【請求項３】
前記火災感知対象物は、ベルトコンベアであって、該ベルトコンベアのコンベアベルトの上方に前記電線を張設したことを特徴とする請求項１または２に記載の火災感知システム。
【発明の詳細な説明】
【技術分野】
【０００１】
本発明は、火災感知システムに関し、特に、長距離ベルトコンベアの構内火災等を防止するために好適な火災感知システムに関する。
【背景技術】
【０００２】
セメント製造工場においては、原料、セメントクリンカ等の輸送にベルトコンベアを利用することが多い。このベルトコンベアは、通常、ゴム製のベルトを使用するため、火災が発生すると、短時間で燃焼し、コンベアベルトを焼損するだけでなく、ベルトコンベアを据え付けている建家、その他の付帯設備も損傷するおそれがあり、セメント製造設備に重大な損害を与えることとなる。
【０００３】
そこで、従来、上記ベルトコンベア及び建家等における火災を防止するため、煙感知器、空気圧感知器、定温式感知線型感知器等が用いられている。定温式感知線型感知器は、図２に示すように、一定の温度以上で溶ける絶縁物１１で被覆したピアノ線１２を２本より合わせ、一定の温度に達すると、絶縁物１１が溶けて２本のピアノ線１２（導体）が導通し、受信機に信号を送出して火災を感知する。
【発明の開示】
【発明が解決しようとする課題】
【０００４】
しかし、上記従来の煙感知器、空気圧感知器はともに高価であり、定温式感知線型感知器についても受信機を必要とするため設置コストが高くなり、特に、長距離ベルトコンベアの構内火災を防止するには、火災感知の対象となる面積が広いため、上記感知器を多数設置する必要があり、設備費用が高騰するという問題があった。
【０００５】
そこで、本発明は、上記従来の火災感知器における問題点に鑑みてなされたものであって、安価で、火災感知の対象となる面積が広い場合であっても実用的な火災感知システムを提供することを目的とする。
【課題を解決するための手段】
【０００６】
上記目的を達成するため、本発明は、火災感知システムであって、火災感知対象物の周囲または火災感知対象場所に張設された電線と、該電線に電圧を印加する電源と、前記電線を流れる電流を計測する電流計測手段とを備え、前記電線に前記電源によって電圧を印加した状態で前記電流計測手段が無電流を計測することにより、前記火災感知対象物また
は火災感知対象場所に火災が発生したことを感知することを特徴とする。
【０００７】
そして、本発明によれば、火災感知対象物の周囲等に張設した電線が火災により断線したことを電流計測手段によって計測することにより、火災感知対象物等に火災が発生したことを感知することができる。これによって、高価な煙感知器、空気圧感知器を用いずに火災を感知することができる。また、従来の定温式感知線型感知器に必要としていた受信機が不要となり、火災感知の対象となる面積が広い場合であっても、安価で実用的な火災感知システムを提供することができる。また、本発明にかかる火災感知システムは、点検及び動作の確認を容易に行うことができ、メンテナンス性にも優れる。
【０００８】
前記電線には、絶縁ビニル電線を用いることができ、前記火災感知対象物をベルトコンベアとし、該ベルトコンベアのコンベアベルトの上方に前記電線を張設することができる。これによって、長距離ベルトコンベアの構内火災等を安価なシステムによって感知することが可能となる。
【発明の効果】
【０００９】
以上説明したように、本発明によれば、安価で、火災感知の対象となる面積が広い場合であっても実用的な火災感知システムを提供することができる。
【発明を実施するための最良の形態】
【００１０】
図１は、本発明にかかる火災感知システムの一実施の形態を示し、以下の説明においては、本発明にかかる火災感知システムを長距離ベルトコンベアの構内火災を感知するために用いた場合を例にとって説明する。
【００１１】
この火災感知システムは、火災感知対象物としてのベルトコンベア１のコンベアベルト１ａの上方に張設された電線２と、この電線２に電圧を印加する電源３と、電線２を流れる電流を計測する電流計測手段としてのリレー４を備える。
【００１２】
ベルトコンベア１は、例えば、セメント製造工場の構内に敷設された長距離ベルトであって、上述のように、原料、セメントクリンカ等を輸送する際に用いられる。
【００１３】
電線２には、種々の電線を使用することができるが、例えば、絶縁ビニル電線を用いることができる。
【００１４】
電源３には、直流電源、交流電源のいずれも使用することができるが、低電圧で電線２の断線を確実に検知することができ、活線作業とならないことが望ましいため、ＤＣ２４Ｖ程度の電源を用いる。
【００１５】
リレー４は、電線２の断線による電圧の低下を検知するために配置され、電圧の低下を検知した場合には、図示しないシーケンサへ火災感知信号を送出し、シーケンサを介して火災警報等を発する。尚、リレー４以外にも、電線２が断線したことによって電線２に電流が流れなくなったことを計測する電流計等を使用することもできる。
【００１６】
次に、上記構成を有する火災感知システムの動作について説明する。
【００１７】
図１のベルトコンベア１を設置している建家、またはベルトコンベア１そのものに火災が発生した場合を想定し、コンベアベルト１ａの上方に電線２を張設する。電線２には、電源３によって電圧を印加する。
【００１８】
ベルトコンベア１を設置している建家、またはベルトコンベア１に火災が発生し、コンベアベルト１ａが燃焼すると、コンベアベルト１ａの上方に張設した電線２の温度も上昇し、電線２が断線する。これによって、電線２に電流が流れなくなり、リレー４が電圧の低下を検知する。次に、リレー４からシーケンサへ火災感知信号が送出され、シーケンサを介して火災警報等を発する。
【００１９】
尚、直径２ｍｍの絶縁ビニル電線（２線のより線）を用いると、火災発生時に火炎に曝されてから約１分後に溶断し、上述の動作により火災を感知することができる。この溶断するまでの時間については、電線の径と被覆材の種類によって制御することができる。
【図面の簡単な説明】
【００２０】
【図１】本発明にかかる火災感知システムの一実施の形態を示す概略図である。
【図２】従来の定温式感知線型感知器に用いられる電線の一例を示す断面図である。
【符号の説明】
【００２１】
１      ベルトコンベア
１ａ    コンベアベルト
２      電線
３      電源
４      リレー
【図１】
2005078391.tif 000003
【図２】
2005078391.tif 000004